(57)【要約】【課題】電波状態の不良によらない録画不備、例えばテロップ混入や緊急放送挿入や番組変更を自動的に認識して、再放送の自動予約ができ、また再放送の自動予約時には、取りこぼしなく再放送番組を録画予約して録画を行うことが可能な番組記録保存装置を提供すること。【解決手段】外部より番組放送の番組表情報及びそれ以外の情報を含んだ番組情報を取得する手段と、ユーザが入力した自動予約の検索情報を設定する手段２７ｂと、番組放送を受信する受信手段４２と、前記検索情報及び前記番組表情報以外の前記情報を基に前記番組表情報を検索し、番組の記録予約をする自動予約設定手段３１と、前記自動予約設定手段の記録予約に基づいて前記受信手段にて受信した番組を記録装置２７ａに記録する手段とを備え、自動記録予約する際の番組検索の範囲を多角的に変えて（例えば広くして）記録することができる。【選択図】  図３
2006129281.tif 000002
【特許請求の範囲】
【請求項１】
外部より番組放送の番組表情報及びそれ以外の情報を含んだ番組情報を取得する手段と、
ユーザが入力した自動予約の検索情報を設定する手段と、
番組放送を受信する受信手段と、
前記検索情報及び前記番組表情報以外の前記情報を基に前記番組表情報を検索し、番組の記録予約をする自動予約設定手段と、
前記自動予約設定手段の記録予約に基づいて前記受信手段にて受信した番組を記録装置に記録する手段と、
を具備したことを特徴とする番組記録保存装置。
【請求項２】
外部より番組放送の番組表情報を含む番組情報を取得する手段と、
ユーザが入力した自動予約の検索情報を設定する手段と、
番組放送を受信する受信手段と、
前記検索情報を基に前記番組情報を検索し、番組の記録予約をする自動予約設定手段と、
前記自動予約設定手段の記録予約に基づいて前記受信手段にて受信した番組を記録装置に記録する手段と、
前記記録装置に記録した番組について正常に記録されたか判断する判断手段と、
前記判断手段により前記記録した番組が正常に記録されたと判断した場合、同一の番組名を前記検索情報に排他情報として追加する手段と、
前記排他情報が追加された検索情報を用いて、再放送される同一番組を前記自動予約設定手段に記録予約させないようにする二重記録回避手段とを具備し、
前記判断手段により前記記録した番組が正常に記録されていないと判断した場合、再度前記自動予約設定手段にて前記検索情報を基に番組情報を検索し、番組の記録予約を行うことを特徴とする番組記録保存装置。
【請求項３】
外部より番組放送の番組表情報を含む第１の番組情報を取得する手段と、
ユーザが入力した自動予約の検索情報を設定する手段と、
番組放送を受信する受信手段と、
前記検索情報を基に前記第１の番組情報を検索し、番組の記録予約をする自動予約設定手段と、
前記番組放送と同時に受信した番組表情報以外の情報を含む第２の番組情報に基づき受信番組が通常でないことを検出する手段と、
前記番組放送が通常でないことを検出した場合に、前記検索情報及び前記第２の番組情報を基に、前記番組放送の前記第１の番組情報又はその後に更新される第１の番組情報を検索し、該当する再放送番組の記録予約を前記自動予約設定手段にさせる手段と、
前記自動予約設定手段の記録予約に基づいて前記受信手段にて受信した番組を記録装置に記録する手段と、
を具備したことを特徴とする番組記録保存装置。
【請求項４】
外部より番組放送の番組表情報を含む第１の番組情報を取得する手段と、
ユーザが入力した自動予約の検索情報を設定する手段と、
番組放送を受信する受信手段と、
前記検索情報を基に前記第１の番組情報を検索し、番組の記録予約をする自動予約設定手段と、
前記番組放送と同時に受信した番組表情報以外の情報を含む第２の番組情報に基づき受信番組が通常でないことを検出する手段と、
前記番組放送が通常でないことを検出した場合に、前記検索情報及び前記第２の番組情報を基に、前記番組放送の前記第１の番組情報又はその後に更新される第１の番組情報を検索し、該当する再放送番組の記録予約を前記自動予約設定手段にさせる手段と、
前記自動予約設定手段の記録予約に基づいて前記受信手段にて受信した番組を記録装置に記録する手段と、
前記記録装置に正常に記録した番組と同一の番組名を前記検索情報に排他情報として追加する手段と、
前記排他情報が追加された検索情報を用いて、再放送される同一番組を前記自動予約設定手段に記録予約させないようにする二重記録回避手段と、
を具備したことを特徴とする番組記録保存装置。
【請求項５】
前記自動予約設定手段が前記番組表情報又は前記番組情報を検索し、番組の記録予約をする際に、既にユーザが指定して記録予約した番組と、新たに自動予約設定手段により記録予約を行おうとする番組との時間が重なった場合、ユーザに警告を通知し、あるいは、既に自動予約設定手段により記録予約した番組と、新たにユーザが記録予約を指定しようとした番組との時間が重なった場合、ユーザに警告を通知し、あるいは、既に自動予約設定手段により記録予約した番組と、新たに自動予約設定手段により記録予約を行おうとする番組との時間が重なった場合、ユーザに警告を通知する手段
を更に具備したことを特徴とする請求項１乃至４のいずれか１つに記載の番組記録保存装置。
【請求項６】
ユーザが入力した録画の成否情報を設定する手段と、
録画の失敗が設定された場合に、前記検索情報及び前記第２の番組情報を基に、前記番組放送の前記第１の番組情報又はその後に更新される第１の番組情報を検索し、該当する再放送番組の記録予約を前記自動予約設定手段にさせる手段と、
を更に具備したことを特徴とする請求項３乃至５のいずれか１つに記載の番組記録保存装置。
【請求項７】
番組放送の番組表情報及びそれ以外の情報として過去のどの放送日時の番組の再放送であるかを特定する情報を含む第１の番組情報を受信可能であると共に放送された番組放送を受信可能な番組記録保存装置であって、
前記第１の番組情報を取得する手段と、
前記番組放送を受信する受信手段と、
過去の放送日時を特定する情報を含む自動予約の検索情報を設定する手段と、
前記検索情報を基に前記第１の番組情報を検索し、番組の記録予約をするもので、過去の放送日時より特定された再放送番組を記録予約することが可能な自動予約設定手段と、
前記自動予約設定手段の記録予約に基づいて前記受信手段にて受信した番組を記録装置に記録する手段と、
を具備することを特徴とする番組記録保存装置。
【発明の詳細な説明】
【技術分野】
【０００１】
この発明は、外部より入手可能な番組情報と、ユーザの設定した条件をもとにテレビ番組等の情報を記録予約および記録可能な装置において、番組情報に基づいて自動的に再放送を記録予約する番組記録保存装置に関する。
【背景技術】
【０００２】
従来は、ユーザーがテレビジョン放送の番組を選ぶためには、新聞の番組欄或いは番組情報誌を見ることが多かった。  
近年では、インターネットのウェブ上に電子番組表（ＥＰＧ）を提供するサイトがあるので、パソコン等で番組表を閲覧することも可能である。  
また、インターネットからの番組情報に加えて、地上アナログ放送波からも電子番組表（ＥＰＧ）を取得することが可能となっている。
【０００３】
更に、テレビジョン放送では電子番組表（ＥＰＧ）情報がテレビジョン番組と共に放送されている。従って、電子番組表（ＥＰＧ）対応のテレビジョン受信装置を利用すれば、リモコン操作によって放送波からＥＰＧ情報を取り出し、その情報に基づいて放送予定の番組表をテレビ画面に表示することが可能となる。
【０００４】
上記の電子番組表には、１週間分或いは２週間分の放送予定番組につき、各番組のそれぞれの番組名、番組内容及び出演者等が各放送局のチャンネル毎に区分されて表示される。
【０００５】
一方、ＤＶＤレコーダ、ＨＤＤレコーダ又はＤＶＤ／ＨＤＤレコーダ等の記録再生装置では、上記のように外部より入手したテレビ番組等の番組情報を、ユーザの設定した検索条件をもとに自動的に検索して記録予約の自動設定を行うことが可能な（このような機能を録画自動予約機能という）装置が開発され、普及しつつある。録画自動予約機能は、予め登録してある検索条件をもとにして、電子番組表を所定のキーワード等で検索し、検索した番組を自動的に録画予約するものである。
【０００６】
ところで、上記のようなテレビジョン受信装置又は記録再生装置において、従来、視聴又は録画予約を行った番組の放送中に受信障害があった場合に、受信電波状態の不良による視聴又は録画不備を検知し、番組情報から当該番組と同一の番組を番組名（タイトル）でキーワード検索し、視聴又は録画の自動予約をしてリカバリーを図るものがある（例えば、特許文献１参照）。
【０００７】
また、放送波の受信レベルを監視して、受信レベルに異常があった場合、番組の再放送をＥＰＧから検索して自動的に録画予約に設定したり、さらに始めに録画した録画状態と取り直した録画状態を比較し、悪い録画状態の方を削除することによって、最良の録画結果を得るものもある（例えば、特許文献２参照）。
【特許文献１】特開２００１−３０９２８６号公報
【特許文献２】特開２０００−３１２３２３号公報
【発明の開示】
【発明が解決しようとする課題】
【０００８】
しかしながら、特許文献１では、電波状態の不良によらない録画不備、たとえば地震速報のテロップ混入，緊急放送の割り込み，番組変更などへの対応は困難であった。一方、番組名による検索は再放送時に番組名が同一でない場合（例えば番組名に「再放送」などが付加されている場合）には機能することが困難であった。
【０００９】
また、特許文献２では、自動で予約録画されるため、再放送があって同じ番組を重複して録画するのを回避することもできるが、何らかの原因で録画番組がテロップ混入，緊急放送の割り込み，番組変更などで予期した内容と異なってしまった場合、録画内容を視聴するまで異常に気が付かない問題がある。                                       
そこで、本発明は上記の問題に鑑み、電波状態の不良によらない録画不備、例えばテロップ混入，緊急放送の割り込み，番組変更を自動的に認識して、再放送の自動予約ができ、また再放送の自動予約時には、取りこぼしなく再放送番組を録画予約して録画を行うことが可能な番組記録保存装置を提供することを目的とするものである。
【課題を解決するための手段】
【００１０】
本発明による番組記録保存装置は、
外部より番組放送の番組表情報及びそれ以外の情報を含んだ番組情報を取得する手段と、
ユーザが入力した自動予約の検索情報を設定する手段と、
番組放送を受信する受信手段と、
前記検索情報及び前記番組表情報以外の前記情報を基に前記番組表情報を検索し、番組の記録予約をする自動予約設定手段と、
前記自動予約設定手段の記録予約に基づいて前記受信手段にて受信した番組を記録装置に記録する手段と、を具備したものである。
【００１１】
本発明による番組記録保存装置は、
外部より番組放送の番組表情報を含む番組情報を取得する手段と、
ユーザが入力した自動予約の検索情報を設定する手段と、
番組放送を受信する受信手段と、
前記検索情報を基に前記番組情報を検索し、番組の記録予約をする自動予約設定手段と、
前記自動予約設定手段の記録予約に基づいて前記受信手段にて受信した番組を記録装置に記録する手段と、
前記記録装置に記録した番組について正常に記録されたか判断する判断手段と、
前記判断手段により前記記録した番組が正常に記録されたと判断した場合、同一の番組名を前記検索情報に排他情報として追加する手段と、
前記排他情報が追加された検索情報を用いて、再放送される同一番組を前記自動予約設定手段に記録予約させないようにする二重記録回避手段とを具備し、
前記判断手段により前記記録した番組が正常に記録されていないと判断した場合、再度前記自動予約設定手段にて前記検索情報を基に番組情報を検索し、番組の記録予約を行うことを特徴とする。
【００１２】
本発明によれば、既に記録した番組が再放送された場合、その放送番組を記録予約しないようにし、二重記録を回避することができる。これにより、番組を記録するＨＤＤなどの記録装置を無駄に使うことがなく、記録装置の記憶容量を有効に活用することが可能となる。
【００１３】
本発明による番組記録保存装置は、
外部より番組放送の番組表情報を含む第１の番組情報を取得する手段と、
ユーザが入力した自動予約の検索情報を設定する手段と、
番組放送を受信する受信手段と、
前記検索情報を基に前記第１の番組情報を検索し、番組の記録予約をする自動予約設定手段と、
前記番組放送と同時に受信した番組表情報以外の情報を含む第２の番組情報に基づき受信番組が通常でないことを検出する手段と、
前記番組放送が通常でないことを検出した場合に、前記検索情報及び前記第２の番組情報を基に、前記番組放送の前記第１の番組情報又はその後に更新される第１の番組情報を検索し、該当する再放送番組の記録予約を前記自動予約設定手段にさせる手段と、
前記自動予約設定手段の記録予約に基づいて前記受信手段にて受信した番組を記録装置に記録する手段と、を具備したものである。
【００１４】
本発明による番組記録保存装置は、
外部より番組放送の番組表情報を含む第１の番組情報を取得する手段と、
ユーザが入力した自動予約の検索情報を設定する手段と、
番組放送を受信する受信手段と、
前記検索情報を基に前記第１の番組情報を検索し、番組の記録予約をする自動予約設定手段と、
前記番組放送と同時に受信した番組表情報以外の情報を含む第２の番組情報に基づき受信番組が通常でないことを検出する手段と、
前記番組放送が通常でないことを検出した場合に、前記検索情報及び前記第２の番組情報を基に、前記番組放送の前記第１の番組情報又はその後に更新される第１の番組情報を検索し、該当する再放送番組の記録予約を前記自動予約設定手段にさせる手段と、
前記自動予約設定手段の記録予約に基づいて前記受信手段にて受信した番組を記録装置に記録する手段と、
前記記録装置に正常に記録した番組と同一の番組名を前記検索情報に排他情報として追加する手段と、
前記排他情報が追加された検索情報を用いて、再放送される同一番組を前記自動予約設定手段に記録予約させないようにする二重記録回避手段と、を具備したものである。
【００１５】
本発明による番組記録保存装置は、
番組放送の番組表情報及びそれ以外の情報として過去のどの放送日時の番組の再放送であるかを特定する情報を含む第１の番組情報を受信可能であると共に放送された番組放送を受信可能な番組記録保存装置であって、
前記第１の番組情報を取得する手段と、
前記番組放送を受信する受信手段と、
過去の放送日時を特定する情報を含む自動予約の検索情報を設定する手段と、
前記検索情報を基に前記第１の番組情報を検索し、番組の記録予約をするもので、過去の放送日時より特定された再放送番組を記録予約することが可能な自動予約設定手段と、
前記自動予約設定手段の記録予約に基づいて前記受信手段にて受信した番組を記録装置に記録する手段と、を具備したものである。
【００１６】
本発明によれば、再放送番組である場合は、送信側装置から番組表情報とそれ以外の情報として過去のどの放送日時の番組の再放送であるかを特定する情報を送ってくるので、記録に失敗した番組があってもその再放送が予定されている場合には、過去のどの放送日時の番組の再放送であるかを特定する情報を検索情報に含めて検索することで、再放送番組の記録予約及び記録を確実に行うことが可能となる。
【発明の効果】
【００１７】
本発明によれば、電波状態の不良によらない録画不備、例えばテロップ混入，緊急放送割り込み，番組変更を自動的に認識して再放送の自動予約ができる。再放送の自動予約時には、前回の自動予約時に番組予約データをＥＰＧデータより検出した時のもとの検索条件や他の複数の番組情報を用いて、多角的な検索を行うことで、取りこぼしの少ない番組記録保存装置を実現できる。
【発明を実施するための最良の形態】
【００１８】
発明の実施の形態について図面を参照して説明する。  
現在、ＥＰＧなどの番組表情報は、放送電波と一緒に配信する方法と、インターネットを介してそのウェブ情報で提供する方法がある。
【００１９】
ここでは、インターネットや無線／有線放送を介して（図２参照）、ＥＰＧなどの番組表情報を入手し、かつ番組表情報をもとに録画予約が可能であり、またテレビジョン放送など無線／有線放送を受信してその受信情報を記録保存することが可能な装置（以降、番組記録保存装置と記す）及び番組記録保存システムについて説明する。
【実施例１】
【００２０】
図１で本発明の実施例１の番組記録保存装置を説明する前に、図２を参照して全体的なシステムを説明する。  
図２は本発明の実施例１に係る番組記録保存システムの構成図を示している。  
図２に示すシステムは、番組表情報を含む番組情報と番組放送とを受信可能な番組記録保存装置１と、番組表情報の情報提供会社２から提供される番組表情報及びそれぞれ以外の情報を含む番組情報を送信する放送局３又はインターネット４と、番組放送を送信する一方、番組表情報以外の番組情報を必要に応じて情報提供会社２及び放送局３に供給する放送局５と、を備えている。
【００２１】
番組記録保存装置１は、放送局３又はインターネット４より受信したテレビ番組等の番組情報から、ユーザの入力設定したキーワードやその他の検索条件をもとに自動的に番組検索を行って記録予約の設定を自動的に行うことが可能な装置である。
【００２２】
放送局３は例えば地上アナログ放送波に番組表情報やそれ以外の情報を重畳して送信するもので、米国ジェムスター社開発の独自技術に基づく地上波アナログの電子番組ガイド（ＥＰＧ）であるＧガイド（ＴＢＳ系列局で放送）や、地上波テレビ電波を利用したＨＴＭＬデータ放送サービスであるＡＤＡＭＳ（テレビ朝日系列局で放送）がある。一方、インターネット４を介して提供されるＥＰＧサービスとしては、（株）東芝が提供するＤＥＰＧや、ソニー（株）が提供するｉＥＰＧがある。
【００２３】
番組情報を含む番組放送信号を送信する放送局５は、地震などの災害発生時や緊急を要する事件などの発生時には、番組表情報を含む番組情報の情報提供会社２及び番組表情報を含む番組情報を送信する放送局３に対して、番組情報に挿入するテロップ，緊急放送，番組変更などを示す情報を提供することで、放送局３又はインターネット４を通してテロップ情報や緊急時の情報や番組変更情報を番組記録保存装置１に送信することができる。
【００２４】
図１は本発明の実施例１の番組記録保存装置の装置ブロック図を示している。  
図１に示す番組記録保存装置１は、テレビジョン放送波を受信するためのＴＶ放送受信装置１１と、ＢＳチューナやケーブルテレビチューナなど外部チューナを接続するための外部チューナインターフェース（外部チューナＩ／Ｆと記す）１２と、ＤＥＰＧなどインターネットを介したＥＰＧデータを入手するためのインターネット接続装置１３と、ユーザーが番組記録保存装置１に対して操作手段であるリモコン（図示せず）を用いて操作情報を送信するためのリモコンインタフェース（リモコンＩ／Ｆと記す）１４と、各種情報をユーザに通知するための表示装置１５と、予約録画の開始・終了の基準となる計時手段としての時計１６と、ＴＶ受像機やＡＶ機器と接続するためのオーディオインターフェース（オーディオＩ／Ｆと記す）１７およびビデオインタフェース（ビデオＩ／Ｆと記す）１８と、番組記録保存装置１の各部を制御するするＣＰＵ１９およびＣＰＵの制御処理に必要とされるデータを記憶するメモリ２０と、ビデオデータを符号化／複号化するためのビデオエンコーダ２１及びビデオデコーダ２５と、オーディオデータを符号化／複号化するためのオーディオエンコーダ２２及びオーディオデコーダ２６と、オーディオデータとビデオデータを多重化するためのマルチプレクサ（ＭＵＸと記す）２３と、オーディオデータとビデオデータの多重データを分離化するためのデマルチプレクサ（ＤＥＭＵＸと記す）２４と、録画データおよび各種データベース（ＤＢと記す）の情報を記録するための記録装置２７と、を備えている。
【００２５】
記録装置２７は、例えばＨＤＤなどの磁気ディスクドライブ装置やＤＶＤなどの光ディスクドライブ装置で構成され、番組放送の録画データを格納する録画データＤＢ２７ａと、自動予約の際の検索条件などを格納する自動予約情報ＤＢ２７ｂと、取得したＥＰＧなどの番組表情報を格納するＥＰＧ ＤＢ２７ｃと、予約録画実行する予定の番組情報を格納する予約情報ＤＢ２７ｄと、番組放送の受信を行うと共に録画実行されたときの番組放送と同時に受信した番組情報を格納するもので、本発明による再放送番組の自動予約を行うのに必要な検索情報を得るのにも用いられる録画番組情報ＤＢ２７ｅと、を記録する。
【００２６】
なお、番組記録保存装置１内の記録装置２７を省略したときのその代りの記録装置として、或いは当該記録装置２７に更に追加する記録装置として、外部の記録装置（図示せず）をインターネット接続装置１３とネットワーク（ＬＡＮ）を介して装置１に接続する構成としてもよい。
【００２７】
図１の番組記録保存装置１においては、地上波アナログ放送及びデジタル放送のＴＶ放送信号を受信するためのチューナを含んだ無線／有線のＴＶ放送受信装置１１の他、アナログ放送及びデジタル放送のＴＶ放送信号を受信するためのＢＳチューナなどの外部チューナに接続する外部チューナＩ／Ｆ１２が設けられている。両者のチューナ出力の切換えは、ユーザによるリモコン操作に基づいたＣＰＵ１９の制御によって行われる。
【００２８】
ＴＶ放送受信装置１１は、内部チューナ及び外部チューナの内の一方のチューナから入力された映像信号を所定フォーマットのデジタル信号に変換し、映像ストリーム，音声ストリームとしてそれぞれビデオエンコーダ２１，オーディオエンコーダ２２へ供給する。
【００２９】
ビデオエンコーダ２１及びオーディオエンコーダ２２はそれぞれ、コーデック（ｃｏｄｅｃ）として例えばＭＰＥＧ−２のエンコーダで構成され、入力された映像ストリーム及び音声ストリームをＭＰＥＧ−２規格で圧縮符号化処理し、この圧縮符号化処理され映像及び音声ストリームをマルチプレクサ２３で多重化してＨＤＤなどの記録装置２７へ出力する。記録装置２７はＭＰＥＧ−２ストリームの映像及び音声データを図示しないピックアップにより記録媒体としてのディスクに記録する。
【００３０】
記録装置２７は、映像及び音声ストリームを記録及び再生可能である。再生時、記録装置２７で再生した再生ストリームはデマルチプレクサ２４に供給される。デマルチプレクサ２４は、再生ストリームを映像ストリーム及び音声ストリームに分離してそれぞれをビデオデコーダ２５及びオーディオデコーダ２６へ出力する。
【００３１】
ビデオデコーダ２５及びオーディオデコーダ２６はそれぞれ、ＭＰＥＧ−２のデコーダを含んで構成され、入力された再生ストリームをＭＰＥＧ−２デコードして元の映像ストリーム，音声ストリームを得た後、それぞれをアナログ映像信号，アナログ音声信号に変換して出力する。ここではｃｏｄｅｃとしてＭＰＥＧ−２を例示したがこれに限定されずＭＰＥＧ−４、Ｈ２４６などを用いることもできる。
【００３２】
ビデオＩ／Ｆ１８は、アナログ映像信号を図示しないディスプレイ装置やＴＶ受像機へ出力する。また、オーディオＩ／Ｆ１７は、アナログ音声信号を図示しないスピーカや音響装置へ出力する。
【００３３】
番組情報取得部３０は、ＴＶ放送受信装置１１から入力されたデータ信号から番組に関する番組情報を抽出し、この番組情報をシステムコントローラとしてのＣＰＵ１９へ出力する。なお、上記したデータ信号はアナログ放送ではテレビジョン信号の帰線期間に多重されており、文字放送番組の他，番組開始時刻情報，番組終了時刻情報，番組識別情報等、番組に関する情報を含んでいる。デジタル放送ではデータ信号はパケット化され、映像パケット，音声パケットと共に多重されている。ＣＰＵ１９は、番組情報取得部３０から入力された番組情報の中から番組開始時刻情報および番組終了時刻情報を抽出する。
【００３４】
番組情報取得部３０は、ＴＶ放送受信装置１１から出力された受信テレビジョン信号中にＥＰＧデータが付加されている場合には、受信テレビジョン信号中から番組表情報としてのＥＰＧデータを抽出し、これを記録装置２７のＥＰＧ ＤＢ２７ｃに記憶させる。なお、ＥＰＧデータには、各放送局毎に放送される番組の番組名（タイトル）、放送日、放送開始・終了時間、ジャンル、放送時間帯、番組内容を示す補助情報が含まれている。ここで、ジャンルとは、番組の内容を種別するものであり、例えば、ニュース、スポーツ、ドラマ、映画、音楽、子供向け、アニメ、教養娯楽等である。又、補助情報とは、例えば、新番組，連続番組，再放送番組を示す情報や、出演者、作者、監督、シリーズ名等である。
【００３５】
一方、受信テレビジョン信号中にＥＰＧデータが付加されていない場合には、番組情報取得部３０は、インターネット接続装置１３からＷｅｂデータとして番組表情報であるＥＰＧデータを取得する。インターネット接続装置１３は、ＥＰＧ要求に応答して、インターネット４（図２参照）に接続されているＷｅｂサーバ（図示せず）にアクセスする。インターネット接続装置１３は、インターネット４を介して送られてきたＥＰＧデータを受信し、これを番組情報取得部３０に供給する。この際、番組情報取得部３０は、インターネット接続装置１３から供給されたＥＰＧデータを記録装置２７内のＥＰＧ ＤＢ２７ｃに記憶させる。
【００３６】
図３は本発明の実施例１の番組記録保存装置の機能的な構成を示すブロック図である。図１の機能的な構成に相当しており、図１と同一のものには同一符号を付してある。
【００３７】
図３に示す番組記録保存装置１は、自動予約設定手段３１と、放送内容変更・異常検出手段３２と、ＥＰＧ更新タイマ３３と、ＥＰＧ受信手段３４と、ＥＰＧ表示手段３５と、録画データＤＢ２７ａと、自動予約情報ＤＢ２７ｂと、ＥＰＧ ＤＢ２７ｃと、予約情報ＤＢ２７ｄと、録画番組情報ＤＢ２７ｅと、自動予約条件入力手段３６と、手動番組予約手段３７と、ＥＰＧ検索手段３８と、予約情報保存手段３９と、録画成否ユーザ設定手段４０と、録画指示手段４１と、放送受信手段４２と、録画手段４３と、番組情報読取手段４４と、番組情報保存手段４５と、ユーザへの情報通知手段４６と、電子メール送信手段４７と、を備えている。
【００３８】
ＥＰＧ受信手段３４及び番組情報読取手段４４は、図１における番組情報取得部３０の機能に相当する。ＥＰＧ受信手段３４は、図２で示したようなテレビジョン放送データ又はインターネットＷｅｂデータとして送信された所定日数分の番組表情報（ＥＰＧデータ）を受信し、ＥＰＧ ＤＢ２７ｃに記憶させるものであり、番組情報読取手段４４は、放送受信手段４２で番組放送と同時に受信した番組情報を読み取り、録画番組情報ＤＢ２７ｅに記憶させるものである。
【００３９】
放送受信手段４２は、ＴＶ放送受信装置１１のような通常の無線／有線のテレビジョン放送の番組受信機能のほかに、インターネットから受信される無線／有線のインターネット放送の番組受信機能も含み、番組放送と共に番組情報も受信できる。放送受信手段４２における番組情報は、電子番組表（ＥＰＧ）のような番組表情報以外の形式で送信される番組情報も含むものである。
【００４０】
自動予約条件入力手段３６は、自動予約のためにキーワード検索等を行う際に、ユーザ操作によってその検索条件を入力する機能である。  
録画成否ユーザ設定手段４０は、ユーザが録画した番組を視聴した際に、例えばユーザがこの録画は失敗であったと認識した際など、再度同じ番組の録画を希望する場合にユーザ操作に基づいて再録画の指示を出す機能である。  
手動番組予約手段３７は、ユーザが手動で番組予約を行うための機能であり、ＥＰＧ表示手段３５に表示された番組表からカーソル移動等によって所望の番組を選択して、予約情報保存手段３９を用いて予約情報ＤＢ２７ｄに予約設定させる。
【００４１】
ＥＰＧ更新タイマ３３は、定期的にＥＰＧ受信手段３４の受信機能をアクティブにしてＥＰＧデータを取得するタイミング（トリガ）を与えるものである。
【００４２】
自動予約設定手段３１は、自動予約情報ＤＢ２７ｂに保存されている検索条件に基づいてＥＰＧ検索手段３８を用いてＥＰＧ ＤＢ２７ｃの所定日数分のＥＰＧデータを検索することによって、検索条件に合った番組データを予約情報保存手段３９を用いて予約情報ＤＢ２７ｄに設定（登録）させる機能を備えている。
【００４３】
予約情報ＤＢ２７に予約設定された番組データに基づいて録画開始時刻になると、録画指示手段４１は放送受信手段４２に予約番組の録画実行指示を出す。放送受信手段４２にて受信した放送番組は録画手段４３に送られて録画データＤＢ２７ａに格納される一方、番組情報読取手段４４に送られて番組情報が読み取られ、その番組情報は番組情報保存手段４５を用いて録画番組情報ＤＢ２７ｅに格納される。録画番組情報ＤＢ２７ｅには、録画予約実行によって実際に受信した番組のリアルタイムな番組情報が格納される一方、予約情報ＤＢ２７ｄからのＥＰＧデータより得た番組情報も格納され、それらは一定期間保持されることになる。
【００４４】
放送内容変更・異常検出手段３２は、番組情報読取手段４４にて読み取られた放送局の番組情報にテロップ，緊急放送，番組変更などを示すテキストデータが挿入されていると、番組情報保存手段４５に異常検出を通知する一方、自動予約設定手段３１にも異常検出を通知する。これにより、自動予約設定手段３１は録画不備となる（即ち録画データが不完全なものになる）ことに対応して、今回の録画番組の再放送を自動予約するのに必要な検索情報として、録画番組情報ＤＢ２７ｅに格納されている録画した番組についての番組情報の全部又はその一部を用いて、ＥＰＧ ＤＢ２７ｃをＥＰＧデータが更新される度に検索して、その検索条件に該当する番組があり且つ時間的に重複する予約がなければ、その番組データを予約情報として予約情報ＤＢ２７ｄに設定（登録）する。
【００４５】
ところで、番組情報は、再放送番組であると、新聞のテレビの番組欄にみられるように情報が小さくなっている可能性がある。番組のタイトルが短くなっていたり、或いは副題が付いていなかったりする。そうすると、一度録画予約をして録画を行った番組と同一の再放送の番組であっても、例えば番組のタイトルだけを用いてもう一度検索をかけても同じ内容の再放送番組であると認識できない可能性がある。
【００４６】
具体的には、既に録画した番組の番組情報は、録画番組情報ＤＢ２７ｅに格納されるわけであるが、ここには番組のタイトルのみが入るのではなくて、自動的に録画するときに色々な情報、例えば放送局名、放送時間長、出演している俳優や演出家の名前なども入っている。そこで、再放送を自動検索する際には、その全ての情報を用いそれら情報のＯＲ，ＡＮＤの適宜の組合わせを検索情報として用いてＥＰＧ ＤＢ２７ｃに定期的に更新されているＥＰＧデータを検索することによって再度録画予約設定を行うようにする。これにより、番組のタイトルだけを用いてもう一度検索をかける場合に比べて、検索の漏れを少なくして検索できる。即ち、再放送の番組を自動的に検索し予約するにあたって、予約する範囲をもう少し広くしてもう一度録画予約を自動的にかけるようにする。
【００４７】
次に、記録装置２７内の各ＤＢ２７ｃ，２７ｅ，２７ｄ，２７ｂに格納される情報の例は下記の通りである。
【００４８】
表１はＥＰＧ ＤＢなどに格納される一般的な番組表情報の例を示している。  
ＴＶチューナ内蔵パソコンやＨＤＤレコーダなどの機器は、ＥＰＧなどの番組表情報をもとにユーザへ番組情報を表示し、一般にユーザは表示された番組情報を元に番組予約を指定可能である。番組予約には放送局、放送日、放送開始時間、放送終了時間の情報が必要である。その他に番組概要情報などの付加情報が添付される場合がある。
【００４９】
［表１］
2006129281.tif 000003
表２は録画番組情報ＤＢの番組あたりの情報の例を示している。  
番組を録画する際に、番組表情報より得た番組情報と、番組放送と共に受信した番組情報とにより、録画番組情報ＤＢ２７ｅには録画番組情報として下記を保存する。
【００５０】
［表２］
2006129281.tif 000004
表３は予約情報ＤＢ２７ｄの番組あたりの情報の例を示している。  
予約情報ＤＢ２７ｄは、手動予約設定および自動予約設定に限らず、番組予約の情報を格納する。
【００５１】
［表３］
2006129281.tif 000005
表４は自動予約情報ＤＢ２７ｂの一つの検索条件の例を示している。  
自動予約情報ＤＢ２７ｂは、自動予約を行う場合、予約する番組を検索・選定するための情報を設定する。複数の情報を組合わせ検索可能とする。また異なる情報のグループを設定して、複数の種類の放送を自動予約可能とする。
【００５２】
［表４］
2006129281.tif 000006
図４は図３における自動予約処理のフローチャートを示している。  
ＥＰＧ更新タイマ３３は、一定時間毎に即ち定期的にＥＰＧ受信手段３４をトリガする。これによって、ＥＰＧ受信手段３４は、番組表情報を提供する放送局からの放送波を受信したり、或いはインターネットの番組表情報提供サイトへのアクセスを行うことによって、ＥＰＧデータの更新処理に入る（ステップＳ1）。そして、新たに取得したＥＰＧデータが更新されているか否かの判定を行う（ステップＳ2）。
【００５３】
取得したＥＰＧデータが更新されている場合は、ＥＰＧ ＤＢ２７ｃのＥＰＧデータを更新した後、自動予約設定手段３１による自動予約設定処理（図６参照）が起動される（ステップＳ4）。なお、ステップＳ2で、取得されたＥＰＧデータが更新されていなかった場合は、自動予約設定処理（図６参照）は行わない。
【００５４】
または、番組情報読取手段４４からの読み取り情報（即ち番組情報）が放送内容変更・異常検出手段３２へ引き渡されると、放送内容変更・異常検出手段３２による放送内容変更・異常検出処理（図５参照）が行われる（ステップＳ5）。そして、予約録画終了時に、放送内容変更・異常検出手段３２から放送内容変更・異常検出処理により録画正常／異常終了情報が自動予約設定手段３１へ通知されることによって、自動予約設定手段３１による自動予約設定処理（図６参照）が起動される（ステップＳ4）。
【００５５】
あるいは、ユーザが録画した番組を視聴した際に再度同じ番組の録画を希望する場合に起動される録画成否ユーザ設定手段４０によっても、自動予約設定手段３１による自動予約設定処理（図６参照）が起動される（ステップＳ4）。
【００５６】
ユーザの希望によって録画成否ユーザ設定手段４０による録画成否ユーザ設定処理に入ると（ステップＳ6）、そのときユーザがした設定は、録画失敗の設定であったか否かが判定される（ステップＳ7）。判定結果、録画失敗の設定がなされていれば、前述の自動予約設定処理（図６参照）がなされる（ステップＳ4）。ステップＳ7で、録画失敗の設定がなされなかった場合は、自動予約設定処理（図６参照）は行わない。
【００５７】
一方、ユーザが自動予約条件入力手段３６により自動予約の条件を変更した場合にも、自動予約設定手段３１による自動予約設定処理（図６参照）が起動される（ステップＳ4）。
【００５８】
図５は図４の放送内容変更・異常検出処理ステップＳ5の詳細なフローチャートを示している。  
放送内容変更・異常検出手段３２による放送内容変更・異常検出処理では、ＥＰＧ更新タイマからの更新通知、予約番組の録画終了時の録画正常／異常終了の通知、録画成否ユーザ設定通知、または、自動予約条件入力手段からの条件変更通知によって起動され、放送受信手段４２にて番組放送と共に番組情報を受信し、番組情報読取手段４４にて読み取った番組情報からテキストデータを検索する。そして、テキストデータに放送局がテロップ，緊急放送割り込み，番組変更を示す情報を流す時に番組情報へ挿入する所定のテキストが出現した場合に異常と判断し、その旨を自動予約設定手段３１に通知する。一方、録画終了まで当該テキストを検出しなかった場合には、録画正常終了を自動予約設定手段３１に通知する。この処理を図５を参照して説明する。
【００５９】
図５において、番組情報読取手段４４で読み取った番組情報が放送内容変更・異常検出手段３２へ引き渡されると、放送内容変更・異常検出手段３２は先ずその番組情報に以下のように放送局がテロップ，緊急放送割り込み，番組変更を示す情報を流した時に番組情報へ挿入するテキスト（キーワード）が出現するか確認する（ステップＳ41）。キーワードとしては、「地震速報」「地震警報」「緊急放送」「緊急報道」「災害情報」「津波警報」「番組の変更」「番組を変更」などがある。
【００６０】
そして、上記のようなキーワードが番組情報に含まれるか否かの判定を行う（ステップＳ42）。キーワードが含まれていれば、番組情報保存手段４５に異常検出を通知する（ステップＳ43）一方、自動予約設定手段３１に異常検出を通知する（ステップＳ44）。
【００６１】
ステップＳ42において、キーワードが含まれていなければ、録画が終了したか否かの判定を行う（ステップＳ45）。録画が終了していなければ、ステップＳ41へ戻る。
【００６２】
ステップＳ45で録画が終了していれば、自動予約設定手段３１に正常終了を通知する（ステップＳ46）。
【００６３】
図６は図４の自動予約設定処理ステップＳ4の詳細なフローチャートを示している。  
録画異常が通知された場合、自動予約設定手段３１は当該番組の検索に用いた検索情報や番組情報を録画番組情報ＤＢ２７ｅより読み取り、自動予約情報ＤＢ２７ｂに検索条件として設定することで当該番組が自動予約されるようにする。ただし、同じ検索条件が既に自動予約情報ＤＢ２７ｂに存在する場合には追加しない。
【００６４】
録画正常終了が通知された場合、自動予約設定手段３１はその番組が繰り返し録画の設定が無ければ１回のみの録画番組であるから当該番組を重複して録画しないようにするために、自動予約情報ＤＢ２７ｂの当該検索情報に、排他情報として当該番組のタイトルを追加する。これによって重複録画を回避し、記録装置２７の記憶領域を無駄に使用しないようにする。
【００６５】
ＥＰＧが更新されたことを示す更新通知を通知された場合、または録画異常が通知された場合、あるいは録画正常終了が通知され自動予約情報ＤＢ２７ｂを変更した場合、自動予約設定手段３１は自動予約情報ＤＢ２７ｂの検索条件をもとにＥＰＧ検索手段３８を使ってＥＰＧ ＤＢ２７ｃを検索し、該当する番組が存在する場合には予約情報ＤＢ２７ｄに番組予約に要する情報を登録する。また、その番組予約と重複する番組予約が既に予約情報ＤＢ２７ｄに登録されている場合には、ユーザへの情報通知手段４６を用いて番組記録保存装置１が有する表示装置１５および／または電子メール送信手段４７によってユーザに重複を通知する。これにより、ユーザに新旧どちらの番組予約が本当に良いかを選択させることができる。ユーザにより別途、番組予約の選択処理による調整が行われない場合には、例えば先に予約された番組を優先的に録画予約する。この処理を図６を参照して説明する。
【００６６】
図６において、自動予約設定手段３１から録画異常通知、録画正常終了通知またはＥＰＧ更新通知のいずれかがあった場合は、まず、ＥＰＧ変更通知があったか否かが判定される（ステップＳ51）。
【００６７】
ＥＰＧ変更通知があった場合は、自動予約設定手段３１は自動予約情報ＤＢ２７ｂの検索条件をもとにＥＰＧ検索手段３８を使ってＥＰＧ ＤＢ２７ｃを検索し（ステップＳ56）、該当する番組が存在するか否かを判定する（ステップＳ60）。
【００６８】
該当する番組が存在する場合には、予約情報ＤＢ２７ｄに時間が重なる予約が既にあるか検索し（ステップＳ61）、時間が重なる予約があるか否かを判定する（ステップＳ62）。その番組予約と重複する番組予約が既に予約情報ＤＢ２７ｄに登録されている場合には、ユーザへの情報通知手段４６を用いて番組記録保存装置１が有する表示装置１５および／または電子メール送信手段４７によってユーザに重複を通知する（ステップＳ63）。
【００６９】
そして、このとき、ユーザにより別途、番組予約の旧い方か又は新しい方かの一方の番組予約を選択して、予約情報ＤＢ２７ｄに当該番組の予約情報として登録処理する（ステップＳ64）。ユーザにより別途、番組予約の選択処理による調整が行われない場合には、先に予約された番組を優先的に録画予約登録する。また、ステップＳ62において、時間が重なる予約がなければ、新たに予約した当該番組の予約情報を登録処理する（ステップＳ64）。
【００７０】
一方、ステップＳ51において、ＥＰＧ変更通知が無かった場合は、録画が異常か否かを判定する（ステップＳ52）。録画が異常か否かの判定は、図５に示したように番組情報に放送局で挿入したテロップ，緊急放送の割り込み，番組変更を示すテキストデータ（キーワード）があるか否かによって判定される。
【００７１】
ステップＳ52で録画異常と判定されれば、録画番組情報ＤＢ２７ｅより当該番組の再放送の自動予約に必要な番組検索情報を読み取り（ステップＳ53）、当該番組の検索に用いたのと同一の条件が自動予約情報ＤＢ２７ｂにあるか否かの判定を行う（ステップＳ54）。同一条件が自動予約情報ＤＢ２７ｂになければ、自動予約情報ＤＢ２７ｂに当該番組検索情報を設定し（ステップＳ55）、前述のステップＳ56以降のステップに進む。
【００７２】
ステップＳ54で、当該番組の検索に用いたのと同一の条件が自動予約情報ＤＢ２７ｂにあれば、番組検索情報を加えることなく前述のステップＳ56以降のステップに進む。
【００７３】
また一方、ステップＳ52において、録画異常が無い場合、即ち録画が正常であった場合は、予約情報ＤＢ２７ｄより該当する番組の予約情報を読み取り（ステップＳ57）、 繰り返し予約が設定されているか否かを判定する（ステップＳ58）。繰り返し予約が設定されていれば、例えば連続ドラマだったりすると、同じ検索条件で何度か繰り返して予約しなければならないので、図示しない繰り返し予約処理に進む。なお、連続ドラマなど繰り返し録画する番組の指定或いは設定については、ユーザによる指定の他に、番組情報に含まれる情報（ここでは連続番組であるフラグなど）をもとに、繰り返し予約を自動設定することができる。
【００７４】
ステップＳ58において、その録画された番組について繰り返し予約の設定が無ければ、当該番組を重複して録画しないようにするため、自動予約情報ＤＢ２７ｂの当該検索情報に、排他情報として当該番組のタイトルを追加する。これによって無用な重複録画を回避することができる。
【００７５】
以上述べたように本発明の実施例１によれば、再放送などの自動予約時には、前回の自動予約時に番組予約情報をＥＰＧデータより検出した時の検索条件やそのほかの複数の番組情報を元に、前回より広い番組検索条件を設定することが可能なり、再放送番組を取りこぼすことなく記録予約及び記録することができる。
【００７６】
なお、本発明では、上記の実施例のように、検索条件を広くしたり狭くしたりすることによって結果として録画予約範囲を広くしたり狭くしたりする場合に限らず、検索条件は前回と同じでも、予約情報ＤＢに実際に記録予約設定する際に、録画番組情報ＤＢからの番組情報を予約設定条件に加えて記録予約設定を行う場合も含むものとする。
【００７７】
従って、本発明では、もとの検索条件やそのほかの複数の番組情報を用いて、前回の検索条件とは変えた検索条件で多角的な検索（前回より広い或いは狭い検索範囲）を可能とすることで、より適切な番組検索を行って記録予約及び記録を行うことが可能である。具体的には、もとの検索条件やそのほかの複数の番組情報を用いて、前回より広い番組検索条件（例えば複数の情報で主にＯＲ検索を用いて）を設定する場合や、もとの検索条件やそのほかの複数の番組情報を用いて、前回より狭い番組検索条件（例えば複数の情報で主にＡＮＤ検索を用いて）を設定する場合も含んでいる。
【００７８】
デジタル放送などで番組放送と同時に配信される番組情報（テロップ，緊急放送，番組変更などの情報）をもとに放送内容変更・異常検出手段により、予約録画番組へのテロップ挿入，緊急番組割込み，番組変更を示す情報に基づき受信番組が通常でないことを自動検出し、それにより同じ番組が再放送される場合には同一番組に関する検索情報や番組情報を用いて自動的に再放送番組を検索し、記録予約及び記録ができる。
【００７９】
ユーザが予約録画した番組を視聴し、再度録画を希望する場合は、録画成否ユーザ設定手段により再度の自動録画を指示することができ、それにより同じ番組が再放送される場合には自動的に記録予約及び記録ができる。
【００８０】
放送内容変更・異常検出手段により予約録画が正常に終了したと判断した場合、自動予約設定手段により自動予約設定のための検索条件に排他条件として番組タイトルを登録することにより、同一タイトルの番組が再放送された場合に再記録（二重記録）することを避けることができる。
【００８１】
自動予約設定手段により、既に予約されている番組と重複する時間に自動予約が登録された場合、番組記録保存装置の表示装置および／または電子メールによりユーザへ予約の重複を通知する。あるいは、既に自動予約設定手段により自動予約した番組と、新たにユーザが予約を指定しようとした番組との時間が重なった場合、同様にしてユーザへ予約の重複を通知する。（なお、従来は、手動設定を優先するシステムや、後で予約設定した新しい方を優先するシステムが見受けられるが、本実施例では、必ずしも手入力による予約や新しく予約設定した方が優先度が高いとは限らないので、時間的に重複する予約となった場合これをユーザに通知してどちらの予約が本当に良いのかをユーザに選択決定してもらうようにしている。）
【実施例２】
【００８２】
次に、本発明の実施例２について説明する。  
本発明の実施例２の構成は、図２に示した実施例１の番組記録保存システムの構成と同様である。
【００８３】
実施例２において、第１の送信装置としての放送局３は、番組放送の番組表情報及びそれ以外の情報として過去のどの放送日時の番組の再放送であるかを特定する情報を含む第１の番組情報を送出する。第２の送信装置である放送局５は、番組放送を送出すると共に、放送局３及び情報提供会社２に対して前記第１の番組情報に挿入される過去のどの放送日時の番組の再放送であるかを特定する情報を提供する。
【００８４】
一方、番組記録保存装置１は、放送局３から送信されてきた前記第１の番組情報を受信可能であると共に放送局５から放送された番組放送を受信可能であって、前記放送局３より送信された前記第１の番組情報を取得する手段と、前記放送局５から送信されてきた番組放送を受信する受信手段と、ユーザが入力した自動予約の過去の放送日時を含む検索情報を設定する手段と、前記検索情報を基に前記第１の番組情報を検索し、番組の記録予約をするもので、過去の放送日時の特定された再放送番組を記録予約することが可能な自動予約設定手段と、前記自動予約設定手段の記録予約に基づいて前記受信手段にて受信した番組を記録装置としてのＨＤＤなどに記録する手段とを、少なくとも備えている。
【００８５】
本発明の実施例２によれば、送信側から送出される第１の番組情報としては、番組表情報ほかにそれ以外の情報として過去のどの放送日時の番組の再放送であるかを特定する情報を送信するシステムとしたので、記録に失敗した番組があってもその再放送が将来放送される場合には、再放送受信のためにユーザが入力設定する検索条件としては、過去のどの放送日時の番組の再放送であるかを特定する情報を含めた検索条件を用意することで、再放送番組の記録予約及び記録を確実に行うことが可能となる。
【００８６】
なお、過去のどの放送日時の番組の再放送であるかを特定する情報を検索条件の１つとする代わりに、「再放送」を検索条件の１つとして検索し、検索された複数の再放送番組それぞれに含まれる過去の放送日時を表示手段に提示させ、ユーザがそこから所望の１つの再放送番組を選択して記録予約及び記録を行うように構成してもよい。
【産業上の利用可能性】
【００８７】
本発明は、録画再生可能なＨＤＤレコーダ、録画再生可能なＤＶＤレコーダ及びＤＶＤレコーダあるいはデジタルテレビジョン受信装置（ＤＴＶ）に搭載して自動的に記録予約を行うのに有用である。
【図面の簡単な説明】
【００８８】
【図１】本発明の実施例１の番組記録保存装置の装置ブロック図。
【図２】本発明の実施例１に係る番組記録保存システムの構成図。
【図３】本発明の実施例１の番組記録保存装置の機能的な構成を示すブロック図。
【図４】図３における自動予約処理のフローチャート。
【図５】図４の放送内容変更・異常検出処理ステップＳ5の詳細なフローチャート。
【図６】図４の自動予約設定処理ステップＳ4の詳細なフローチャート。
【符号の説明】
【００８９】
１…番組記録保存装置
２７…記録装置
２７ａ…録画データＤＢ
２７ｂ…自動予約情報ＤＢ
２７ｃ…ＥＰＧ ＤＢ
２７ｄ…予約情報ＤＢ
２７ｅ…録画番組情報ＤＢ
３０…番組情報取得部
３１…自動予約設定手段
３２…放送内容変更・異常検出手段
３３…ＥＰＧ更新タイマ
３４…ＥＰＧ受信手段
３６…自動録画条件入力手段
３７…手動版予約手段
３８…ＥＰＧ検索手段
４０…録画成否ユーザ設定手段
４１…録画指示手段
４２…放送受信手段
４３…録画手段
４６…ユーザへの情報通知手段
代理人    弁理士      伊    藤      進 
【図１】
2006129281.tif 000007
【図２】
2006129281.tif 000008
【図３】
2006129281.tif 000009
【図４】
2006129281.tif 000010
【図５】
2006129281.tif 000011
【図６】
2006129281.tif 000012